(57)【要約】【課題】  後面に額縁の外周を収納する平面方形の収納凹部を有する飾り枠において、額縁５の縁部材７の外周が変化してもそれに対応することができる飾り枠の提供。【解決手段】  枠本体３の収納凹部１の隅に平面Ｌ字状の止着凹部２を形成し、その止着凹部２に整合する壁部4a及びその上端に一体に延在したＬ字状の天井部4bを有する止着部材４を設ける。そして枠本体３の収納凹部１に額縁５の外周を収納した後に、止着部材４を止着凹部２に着脱自在に嵌着し額縁５を裏面から止着する。【選択図】        図１
0003126268.tif 000002
【実用新案登録請求の範囲】
【請求項１】
後面に額縁の外周が収納される平面方形の収納凹部(1) を有して、額縁の前面外周を覆う発泡スチロール製の額縁用の飾り枠において、
前記平面方形の収納凹部(1) の隅に、平面Ｌ字状の止着凹部(2) が形成された枠本体(3) と、
その枠本体(3) の前記止着凹部(2) に整合するＬ型の壁部(4a)および、その壁部(4a)の上端に一体に延在してＬ型内の上方を覆う天井部(4b)を有する止着部材(4) と、を具備し、
前記枠本体(3) の前記収納凹部(1) に額縁(5) の外周を収納した後に、前記止着部材(4) を前記止着凹部(2) に着脱自在に嵌着して、前記額縁(5) を裏面側から止着するように構成されたことを特徴とする額縁用の飾り枠。
【請求項２】
請求項１において、
前記枠本体(3) の前記止着凹部(2) の深さが前記収納凹部(1) のそれより深く形成された額縁用の飾り枠。
【請求項３】
請求項１または請求項２において、
前記止着部材(4) が発泡スチロール製で且つ、その弾性変形が枠本体(3) のそれより大きく構成された額縁用の飾り枠。
【請求項４】
請求項１〜請求項３のいずれかにおいて、
前記枠本体(3) の前記収納凹部(1) の四隅に前記止着凹部(2) が形成され、
前記止着部材(4) は、箱型部材(6) の四分割体の一つからなり、
その箱型部材(6) は、一方が開放された箱状で且つ、その壁部(4a)および天井部(4b)に平面十字状の分離用スリット(19)が形成され、そのスリット(19)を境に四等分できるように構成されたものからなる額縁用の飾り枠。
【請求項５】
請求項１〜請求項４のいずれかにおいて、
前記枠本体(3) の前記収納凹部(1) の内壁面に、額縁(5) の外周に当接する調整凸部(12)が一体に形成され、その調整凸部(12)の端面に平行して切断用の凹条(12a) が形成された額縁用の飾り枠。
【考案の詳細な説明】
【技術分野】
【０００１】
この考案は、写真や絵等を収納した額縁の周囲を、その額縁よりさらに大きな枠で飾るための額縁用の飾り枠に関し、特に、葬儀用として最適な飾り枠に関する。
【背景技術】
【０００２】
本出願人は、既に下記特許文献１として、額縁用の飾り枠を提案している。これは葬儀の際、故人の写真を額縁に入れ、さらにその額縁をそれより大きな発泡スチロール製飾り枠に嵌着し、その枠体正面に生花や造花の茎を刺して写真の周囲を飾るものである。
その枠は、耐熱性及び表面強度を向上させ且つ、枠体に装飾性を持たせるために、枠の前面及び外周を枠体よりも高い耐熱性を有するプラスチック製の外表装によって被覆したことを特徴とする。そしてその後面側には、額縁の外周に整合する平面方形の収納凹部を設けたものである。この収納凹部の内周は、額縁の外周よりも僅かに小に形成し、発泡スチロールの弾性を利用し、額縁外周をその収納凹部に圧入して嵌着していた。
【０００３】
【特許文献１】実用新案登録第３０４３５６０号公報
【考案の開示】
【考案が解決しようとする課題】
【０００４】
上記の額縁用の飾り枠は、額縁の外周に応じて額縁の収納凹部を形成する必要があった。現実には額縁の形状・大きさは多数存在し、同一の大きさを指定しても、外周が僅かに異なるものが存在した。これらの全てに対応するためには、収納凹部を予め指定額縁の外周より大きくしておき、そこに額縁を収納した後に、裏面から紐等で止着する必要があった。その場合、紐の端部を発泡スチロールに適宜な取付具を利用して止着する必要があり、極めて面倒であると共に、安定性に欠ける欠点があった。
そこで本考案は、係る欠点を解決することを課題とする。
【課題を解決するための手段】
【０００５】
請求項１に記載の本考案は、後面に額縁の外周が収納される平面方形の収納凹部(1) を有して、額縁の前面外周を覆う発泡スチロール製の額縁用の飾り枠において、
枠本体(3) と、止着部材(4) とを具備する。
その枠本体(3) は、前記平面方形の収納凹部(1) の隅に、平面Ｌ字状の止着凹部(2) が形成されたものである。
また、止着部材(4) は、その枠本体(3) の前記止着凹部(2) に整合するＬ型の壁部(4a)および、その壁部(4a)の上端に一体に延在してＬ型内の上方を覆う天井部(4b)を有するものである。
そして、前記枠本体(3) の前記収納凹部(1) に額縁(5) を収納した後に、前記止着部材(4) を前記止着凹部(2) に着脱自在に嵌着して、前記額縁(5) を裏面側から止着するように構成されたことを特徴とするものである。
【０００６】
上記構成において、
前記枠本体(3) の前記止着凹部(2) の深さを前記収納凹部(1) のそれより深く形成することができる。
さらには、上記構成において、
前記止着部材(4) を発泡スチロール製で且つ、その弾性変形を枠本体(3) のそれより大きく構成することができる。
【０００７】
上記いずれかの構成において、
前記枠本体(3) の前記収納凹部(1) の四隅に前記止着凹部(2) を形成し、
前記止着部材(4) を、箱型部材(6) の四分割体の一つから構成し、
その箱型部材(6) を、一方が開放された箱状で且つ、その壁部(4a)および天井部(4b)に平面十字状の分離用スリット(19)を形成し、そのスリット(19)を境に四等分できるようにすることができる。
上記いずれかの構成において、
前記枠本体(3) の前記収納凹部(1) の内壁面に、額縁(5) の外周に当接する調整凸部(12)を一体に形成し、その調整凸部(12)の端面に平行して切断用の凹条(12a) を形成することができる。
【考案の効果】
【０００８】
本考案の額縁用の飾り枠は、枠本体３の後面に設けた収納凹部１の隅に平面Ｌ字状の止着凹部２が形成され、その止着凹部２に止着部材４を嵌着することができ、それにより額縁５を裏面側から止着するように構成したから、額縁５を本飾り枠に確実に固定し、不用意に枠本体３から額縁５が抜け出るおそれがない。しかも、取扱い容易でその取付けを迅速に行い得る。
【０００９】
上記構成において、止着凹部２の深さを収納凹部１のそれより深く形成した場合には、さらに確実に、額縁５を裏面側から止着固定することができる。
上記構成において、止着部材４を発泡スチロール製とし且つ、その弾性変形を枠本体３のそれより大きくした場合には、止着部材４を止着凹部２により容易に着脱することができ、作業の迅速性をさらに向上できる。
【００１０】
上記構成において、収納凹部１の四隅に止着凹部２を形成し、止着部材４を箱型部材６の四分割体の一つとし且つ、箱型部材６に予め平面十字状のスリット19を形成しておき、そのスリット19を境に四等分できるように構成したものにおいては、飾り枠の取付けの準備段階において部品点数を少なくし、作業の迅速性を確保できると共に、四つの止着部材４によって額縁５の四隅を確実に止着し、さらに安全な飾り枠を提供できる。
【００１１】
上記構成において、枠本体３の収納凹部１の内壁面に調整凸部12を一体に突設し、その調整凸部12の端面に平行して切断用の凹条12a を形成した場合は、各種大きさの額縁５の外周を一つの枠本体３によって保持することができる。
即ち、切断用の凹条12a において調整凸部12の一部をカットすることにより、額縁５の外周に整合する収納凹部１を形成することができる。
【考案を実施するための最良の形態】
【００１２】
次に、図面に基づいて本考案の実施の形態につき説明する。
図１は本考案の額縁用の飾り枠に額縁５を収納する説明図であり、図２は図１のII部拡大図及びその各断面図である。また、図３は本考案の飾り枠に額縁５を収納した状態の裏面側における平面図であり、図４は図３のIV−IV矢視断面略図、図５は図３のＶ−Ｖ断面略図である。また、図７は本考案に用いる四つの止着部材４を取るための発泡スチロール製の箱型部材６の斜視図及びそのＢ−Ｂ矢視断面図である。
この額縁用の飾り枠は、枠本体３と四つの止着部材４とからなる。この枠本体３は、後面側に額縁の外周が収納される平面方形の収納凹部１を有する。この収納凹部１の横断面は、図２（Ｃ）の如く段付状に形成され、その中間内周面17と枠内周面14との間に溝状部1aと斜面16とを有する。
【００１３】
さらに、この中間内周面17には、図１および図２（Ａ）の如く、各辺に一対のづつの調整凸部12が一体に突設されている。この調整凸部12は、その端面に平行に１以上の凹条12a が形成されている。この調整凸部12は図４に示す如く、額縁５の縁部材７の当接面をなす。そして額縁５の縁部材７の外周の大きさに応じて、凹条12a の位置でカッターナイフ等により切断することができるものであり、より大きな縁部材７に対しては、図６の如く調整凸部12を切断し、その額縁５の縁部材７の外周をカット端面に当接できるようにしたものである。
次に、図１，図２の如く、収納凹部１の四隅には平面Ｌ字状の止着凹部２が形成されている。この止着凹部２は、収納凹部１に隣接し枠本体３の外周側に設けられている。それと共に、その深さは収納凹部１の溝状部1aよりも深く（図２（Ｂ）参照）形成されている。
【００１４】
次に、枠本体３の前面及び外周面並びに枠内周面14には、図２（Ｃ）（Ｄ）に示す如く、枠本体３の構造体である発泡スチロールよりも高い耐熱性・耐摩耗性を有すると共に、装飾性の優れた外装層11が被覆されている。これは、写真等の縁飾りに相応しい外観を有する。一例として外表面を色付きのビロード状に装飾することができる。さらには、各種表面に装飾することができる。好ましい素材の一例として、ナイロンやポリエステル，ポリプロピレン，アクリル繊維等の合成繊維のフロック又はパイルがある。これらはフロック加工することにより、枠本体３の外周を覆うことができる。外装層11の耐熱性は、少なくとも枠本体３の構造体の素材よりも２０℃以上高いことが好ましい。外装層11を被覆するには、接着層を介し静電気を利用したフロック加工において、ゴム系，エポキシ系，熱硬化性アクリルエマルジョン等のもので塗装することができる。
【００１５】
このような外装層11を設けることにより、枠本体３は写真の周囲を比較的大きな枠で囲み、その表面に装飾性を有するから、葬儀場における故人の写真を引き立たせる効果がある。また、耐熱性が有するが故に照明器具等の熱で変形することを防止できる。
装飾性を有する飾り枠は、必ずしも生花や造花を刺す必要性はないが、それらを刺して使用することも勿論できる。また、その場合には外装層11は造花や生花を刺し易いもので構成することが好ましい。
【００１６】
次に、枠本体３の裏面側の四隅に設けた止着凹部２には、夫々止着部材４が着脱自在に嵌着固定される。この止着部材４は図１（Ａ）に示すと共に、そのＢ−Ｂ，Ｃ−Ｃ断面は同図（Ｂ）（Ｃ）の如く形成されている。そして、この止着部材４を止着凹部２に嵌着することにより、額縁５の四隅を裏面側から押圧止着することができるものである。止着部材４は発泡スチロール製のものであり、その弾性変形のし易さは、同一の外力に対して、枠本体３のそれよりもより大きく変形できるものが好ましい。止着部材４は、断面Ｌ字状に立ち上げられた壁部4aとその上端に延在し、Ｌ字状の内面側の上方を覆う天井部4bとからなる。壁部4aの内外周は、止着凹部２の内周面よりも僅かに大に形成され、その壁部4aが止着凹部２に圧入される。
【００１７】
この例では、止着部材４は、図７に示す、発泡スチロール製の箱型部材６の四分割体の一つとして形成される。
箱型部材６は一端開放の箱状に形成され、その四辺の壁部4a及び天井部4bに予め、平面十字状のスリット19が形成されている。即ち、スリット19は図７（Ｂ）に示す如く、その天井の底部を僅かに残して分割されている。そして、スリットを境に、それらを外方に押し広げることにより、簡単に四分割体に分離するものである。
【００１８】
（作用）
次に、本考案の額縁用の飾り枠の使用方法につき述べる。
図１に示す如く、先ず額縁５を枠本体３の収納凹部１に嵌着する。このとき額縁５の縁部材７の外周が調整凸部12の端面に当接する。なお、額縁５の外周が必ずしも調整凸部12に全て接触する必要はない。額縁５が収納凹部１に収納されると、その四隅の止着凹部２に止着部材４が圧入される。そしてその天井部4bが額縁５の四隅を圧着する。それにより、額縁５は枠本体３内で平面方向にも厚み方向にも移動することがない。
【００１９】
図４は額縁５の縁部材７が調整凸部12に当接した状態を示す。また、図５は止着部材４の天井部4bにより額縁５の四隅が止着された状態を示す。なお、この額縁５は図４の如く形成され、縁部材７内に収納されたガラス13と背板８との間に、一例として写真９が収納される。そして図１に示す如く、背板８の裏面が爪10によって止着される。
なお、額縁５の厚みは各種のものが存在する。仮に、図５において同図よりも厚い額縁５の場合には、止着部材４が止着凹部２に嵌着される高さが浅くなり、同図の止着部材４よりも僅かに上方に位置する。このとき主として、止着部材４の断面Ｌ字状の外周面が止着凹部２の内周に圧着し、保持力を保つ。
【００２０】
次に、額縁５の縁部材７の外周が調整凸部12の端面間を結ぶ方形よりも僅かに大きいときには、その大きさに応じ調整凸部12を凹条12a の位置でカッターナイフ等により切断した後に、額縁５を収納凹部１内に収納すればよい。
なお、額縁５を枠本体３から取り外すには、前記と逆の手順により行えばよい。
【図面の簡単な説明】
【００２１】
【図１】本考案の額縁用の飾り枠に額縁５を収納する説明図及びその（Ａ）におけるＢ−Ｂ，Ｃ−Ｃ断面図。
【図２】図１のII部拡大図及びそのＢ−Ｂ〜Ｄ−Ｄ断面図。
【図３】同額縁用の飾り枠の額縁５を枠本体３内に収納した状態の裏面側平面略図。
【図４】図３のIV−IV矢視断面図。
【００２２】
【図５】図３のＶ−Ｖ矢視断面図。
【図６】額縁５の縁部材７の外周が大きい場合の取付け状態を示す断面説明図であり、図４のそれに対応するもの。
【図７】本考案の止着部材４を四つ有する発泡スチロール製の箱型部材６の斜視図及びそのＢ−Ｂ矢視断面図。
【符号の説明】
【００２３】
１  収納凹部
1a  溝状部
２  止着凹部
３  枠本体
４  止着部材
4a  壁部
4b  天井部
５  額縁
６  箱型部材
７  縁部材
８  背板
【００２４】
９  写真
10  爪
11  外装層
12  調整凸部
12a   凹条
13  ガラス
14  枠内周面
15  縁部
16  斜面
17  中間内周面
18  枠外周面
19  スリット
【図１】
0003126268.tif 000003
【図２】
0003126268.tif 000004
【図３】
0003126268.tif 000005
【図４】
0003126268.tif 000006
【図５】
0003126268.tif 000007
【図６】
0003126268.tif 000008
【図７】
0003126268.tif 000009